(57)【要約】      （修正有）【課題】バックホウによりセメント系固化材を混合攪拌することにより行われる地盤改良における強度試験としての一軸圧縮試験の客観性や精確性を向上させることが可能な、軽量型枠を用いた一軸圧縮試験用供試体の作製に好適な供試体作製装置を提供する。【解決手段】バックホウのアーム先端側に装着され水平軸回りに回転するドラムと、ドラムの周面に突設される攪拌羽根と、を備えるアタッチメントに対して取り付けられる供試体作製装置１であって、Ｃ型クランプ２３、２４を備え、攪拌羽根に挟み付けられる締結体２と、両端が開口する円筒状の型枠を着脱自在に保持し、型枠がドラムの回転方向に向けて開口する角度で締結体２に対して連結される保持体３と、を有する。【選択図】図２
0003230962.tif 000002
【実用新案登録請求の範囲】
【請求項１】
バックホウのアーム先端側に装着され水平軸回りに回転するドラムと、当該ドラムの周面に突設される攪拌羽根と、を備えるアタッチメントに対して取り付けられる供試体作製装置であって、
Ｃ型クランプを備え、前記攪拌羽根に挟み付けられる締結体と、
両端が開口する円筒状の型枠を着脱自在に保持し、当該型枠が前記ドラムの回転方向に向けて開口する角度で前記締結体に対して連結される保持体と、
を有することを特徴とする供試体作製装置。
【請求項２】
前記保持体が、
前記回転方向に向けて両端が開口し、前記型枠を収容して保持する筒体と、
前記筒体の前端側開口部に取り付けられる型枠止め機構と、
前記筒体の後端側開口部に取り付けられる型枠押出機構と、
を有し、
前記型枠止め機構が、
前記筒体にヒンジ結合された基端部を回転軸として、前記筒体の前端側開口部に架け渡される閉位置と当該前端側開口部を開口する開位置とに回動する開閉式レバーと、
閉位置にある前記開閉式レバー先端側に係合して、前記開閉式レバーの回動を規制するフックと、
を備え、
前記型枠押出機構が、
先端が前記後端側開口部から前記筒体の内部に配置され、後端が前記筒体の外部に配置される押出用ロッドと、
前記押出用ロッドが往復動自在に挿入される支持孔が形成され、前記後端側開口部内に接合される突設部材と、
を備え、
ることを特徴とする請求項１記載の供試体作製装置。
【請求項３】
前記締結体が、
相互に対向して配置される一対のＣ型クランプと、
当該Ｃ型クランプのそれぞれを連結する連結板と、
一方のＣ型クランプにボルトを介して回動可能に連結される第１プレートと、
他方のＣ型クランプにボルトを介して回動可能に連結される第２プレートと、
を有し、
前記保持体が、
前記第１プレートに接合され、前記型枠に連通する状態で前記型枠の一端側開口縁に当接される筒状の第１継手と、
前記第２プレートに接合され、前記型枠に連通する状態で前記型枠の他端側開口縁に当接される筒状の第２継手と、
両端部にネジ部が設けられ、前記第１継手と前記第２継手との間に前記型枠を配置した状態で前記第１継手が一方の当該ネジ部にネジ留めされ前記第２継手が他方の当該ネジ部にネジ留めされることにより、前記型枠を前記第１継手と前記第２継手との間に挟み込んで保持する連結ロッドと、
を有することを特徴とする請求項１記載の供試体作製装置。
【考案の詳細な説明】
【技術分野】
【０００１】
本考案は、バックホウによりセメント系固化材を混合攪拌することにより行われる地盤改良における、いわゆる軽量型枠を用いた一軸圧縮試験用供試体の作製に適用して好適な供試体作製装置に関する。
【背景技術】
【０００２】
改良対象地の土壌にセメント系固化材と水とを混合攪拌して地盤を改良する工法に適用可能な装置として、特許文献１に開示される技術が知られている。かかる技術は、バックホウのアーム先端側に装着され水平軸回りに回転するドラムと、当該ドラムの周面に所定の間隔を設けて複数突設される平板状の攪拌羽根と、を備えるアタッチメント（地盤改良装置）を、油圧力により回転駆動させることにより、複数の攪拌羽根で前述の混合攪拌を行うものである。
【０００３】
上述の地盤改良においては、品質管理のため、供試体の一軸圧縮試験が行われており、当該供試体を成形するための型枠として、従来、プラスチック製である有底筒状の軽量型枠が常用されている（例えば、特許文献２参照）。かかる軽量型枠を用いた供試体の作製は、混合攪拌直後の改良土の一部を採取して、タッピング等を行いながら軽量型枠内に充填し、所定の養生期間を経て硬化させた後、軽量型枠を分割して取り外すことにより円柱状の試験体を形成することにより行われる。
【先行技術文献】
【特許文献】
【０００４】
【特許文献１】実用新案登録第３１１５７２４号公報
【特許文献２】特許第４０６４３７４号公報
【考案の概要】
【考案が解決しようとする課題】
【０００５】
前述の軽量型枠に充填される改良土を採取する局面において、個々の作業員が採取地点（箇所）を人為的に決めるようにすると、タッピング等の熟練度と相まって、供試体の品質にばらつきが生じやすく、強度試験としての客観性や精確性が損なわれるおそれがあった。また、強度試験上、上層、中層及び下層のそれぞれから採取される改良土により供試体を３本一組で製作することがあるが、それぞれの深さからの改良土の採取作業を全て人手で行うことが煩雑な場合があった。
【０００６】
本考案は、上記課題に鑑みてなされたものであり、バックホウによりセメント系固化材を混合攪拌することにより行われる地盤改良における強度試験としての一軸圧縮試験の客観性や精確性を向上させることができ、また、所定の深さからの改良土の採取を機械的に行うことが可能な、軽量型枠を用いた一軸圧縮試験用供試体の作製に適用して好適な供試体作製装置を提供することを目的とする。
【課題を解決するための手段】
【０００７】
本考案に係る供試体作製装置は、バックホウのアーム先端側に装着され水平軸回りに回転するドラムと、当該ドラムの周面に突設される攪拌羽根と、を備えるアタッチメントに対して取り付けられる供試体作製装置であって、
Ｃ型クランプを備え、前記攪拌羽根に挟み付けられる締結体と、
両端が開口する円筒状の型枠を着脱自在に保持し、当該型枠が前記ドラムの回転方向に向けて開口する角度で前記締結体に対して連結される保持体と、
を有する。
【０００８】
一実施の形態における前記供試体作製装置は、
前記保持体が、
前記回転方向に向けて両端が開口し、前記型枠を収容して保持する筒体と、
前記筒体の前端側開口部に取り付けられる型枠止め機構と、
前記筒体の後端側開口部に取り付けられる型枠押出機構と、
を有し、
前記型枠止め機構が、
前記筒体にヒンジ結合された基端部を回転軸として、前記筒体の前端側開口部に架け渡される閉位置と当該前端側開口部を開口する開位置とに回動する開閉式レバーと、
閉位置にある前記開閉式レバー先端側に係合して、前記開閉式レバーの回動を規制するフックと、
を備え、
前記型枠押出機構が、
先端が前記後端側開口部から前記筒体の内部に配置され、後端が前記筒体の外部に配置される押出用ロッドと、
前記押出用ロッドが往復動自在に挿入される支持孔が形成され、前記後端側開口部内に接合される突設部材と、
を備え、
ることを特徴とする。
【０００９】
他の実施の形態における供試体作製装置は、
前記締結体が、
相互に対向して配置される一対のＣ型クランプと、
当該Ｃ型クランプのそれぞれを連結する連結板と、
一方のＣ型クランプにボルトを介して回動可能に連結される第１プレートと、
他方のＣ型クランプにボルトを介して回動可能に連結される第２プレートと、
を有し、
前記保持体が、
前記第１プレートに接合され、前記型枠に連通する状態で前記型枠の一端側開口縁に当接される筒状の第１継手と、
前記第２プレートに接合され、前記型枠に連通する状態で前記型枠の他端側開口縁に当接される筒状の第２継手と、
両端部にネジ部が設けられ、前記第１継手と前記第２継手との間に前記型枠を配置した状態で前記第１継手が一方の当該ネジ部にネジ留めされ前記第２継手が他方の当該ネジ部にネジ留めされることにより、前記型枠を前記第１継手と前記第２継手との間に挟み込んで保持する連結ロッドと、
を有することを特徴とする
【考案の効果】
【００１０】
本考案に係る供試体作製装置によれば、バックホウによりセメント系固化材を混合攪拌することにより行われる地盤改良における強度試験としての一軸圧縮試験の客観性や精確性を向上させることが可能な、軽量型枠を用いた一軸圧縮試験用供試体の作製に適用して好適な供試体作製装置を提供することができる。加えて、本考案に係る供試体作製装置によれば、所定の深さ（特に人手では採取することが困難な深い位置）にある改良土を機械的に採取することができ、従来の煩雑さが解消され、引いては、より客観性や精確性の高い供試体の作製に貢献することができる。
【図面の簡単な説明】
【００１１】
【図１】本考案をバックホウに適用した状態を示す図である。
【図２】第１形態である供試体作製装置を示す図である。
【図３】図２に示す保持体に対して型枠を着脱する過程を示す断面図であり、特に（Ａ）は型枠を取り付ける前の、又は、型枠を取り外した後の内部状態を示し、（Ｂ）は着脱途中の内部状態を示し、（Ｃ）は型枠を取り付けた後の内部状態を示す。
【図４】図２に示す供試体作製装置の一実施例である。
【図５】第２形態である供試体作製装置を示す図である。
【図６】図５に示す供試体作製装置に対して型枠を着脱させた状態を示す図であり、特に（Ａ）は型枠を取り付けた状態を示し、（Ｂ）は型枠を取り付ける前の、又は、型枠を取り外した状態を示す。
【図７】図５に示す供試体作製装置の一実施例である。
【図８】図７に示す供試体作製装置を他の方向から示しものである。
【考案を実施するための形態】
【００１２】
以下、適宜図面を参照しつつ本考案の一実施の形態を具体的に説明するが、本考案は図面に示す実施の形態に限定されるものではなく、本考案の要旨を変更しない限りにおいて適宜変更可能である。
【００１３】
本考案は、バックホウＳによりセメント系固化材を混合攪拌することにより行われる地盤改良において行われる、強度試験としての一軸圧縮試験に用いられる供試体の作製に用いられる技術であり、特に、特許文献１に開示されるような地盤改良装置を適用して施工される地盤改良において適用して好適な供試体作製装置に関する技術である。すなわち、本考案は、図１に示すように、バックホウＳのアーム先端側に装着され水平軸回りに回転する、即ち横軸方向を回転軸として回転するドラムＤと、当該ドラムＤの周面に突設される攪拌羽根Ｗと、を備えるアタッチメントＡ（地盤改良装置）に対して取り付けられ、複数の攪拌羽根Ｗで前述の混合攪拌を行う地盤改良において適用して好適な技術である。
【００１４】
それぞれの攪拌羽根Ｗは、特許文献１に示される攪拌羽根のように、ドラムＤの外周面状に突設される平板部を備え、相互に離隔して配置されている（特許文献１の図２参照）。後述するＣ型クランプを当該平板部に挟み付けることにより、アタッチメントＡに対して供試体作製装置１、５が取り付けられる。ベルトＢを駆動させると、ドラムＤと一体として供試体作製装置１、５が水平軸回りに回転する。
【００１５】
供試体作製装置１、５には、両端が開口する円筒状の型枠Ｃが取り付けられる。かかる型枠としては各種試験に対応して定形（例えば、内径５０ｍｍ、高さ１００ｍｍの円筒）のものが用いられるが、本考案に用いられる型枠Ｃとしては、例えば、特許文献２に開示されるようなプラスチック製の有底筒状の軽量型枠から、底板部を除去（底抜き加工）することにより簡易に製作することができる。図示する場合には、型枠Ｃの前端側開口部にはフランジが設けられている。
【００１６】
供試体作製装置１、５は、Ｃ型クランプを備え、攪拌羽根Ｗに挟み付けられる締結体と、両端が開口する円筒状の型枠Ｃを着脱自在に保持し、型枠ＣがドラムＤの回転方向に向けて開口する角度で締結体に対して連結される保持体と、を有する。かかる構成を有する供試体作製装置１、５によれば、型枠に充填される改良土を採取する局面において、油圧力等の動力源によりドラムＤを回動させた状態で、バックホウＳを操作してアタッチメントＡを降下させることにより、ドラムＤの回転方向に向けて開口する型枠Ｃにより流動状態にある改良土を機械的にすくい取って型枠Ｃ内に充填することができる。型枠Ｃは、その両端が開口しており、遠心力により、型枠Ｃに入り込んだ余分な改良土が後端側開口部から吐出されることから、型枠Ｃの隅々まで改良土を充填することができる。
【００１７】
図示するアタッチメントＡにおいては、特許文献１に開示されるように、攪拌羽根ＷがドラムＤの回転方向に対して前端側が外側を向くように所定（例えば１５度）の角度傾けて設けられている、別言すれば、ドラムＤの回転方向を基準としたとき外向き１５度方向に向けて攪拌羽根Ｗが左右対称に配置されている。この点、型枠Ｃを保持する保持体は、締結体に対して、ドラムＤの回転方向に向けて開口する角度、好ましくは、Ｃ型クランプを攪拌羽根Ｗに挟み付けた状態において保持体に取り付けられた型枠Ｃの長手方向がドラムＤの回転方向と一致する角度で連結されている。したがって、ドラムＤを回転させたときに、効率的に、型枠Ｃの内部に改良土をすくい取ることができる。
【００１８】
上記特徴を有する供試体作製装置１、５によれば、人手を介することなく機械的に採取された改良土により供試体が作製されることから、各作業員の恣意や技量が供試体の品質に反映されてしまう懸念がなく、一軸圧縮試験の客観性や精確性を向上させることが可能となる。加えて、従来は、改良土壌の下層にある改良土を人手で採取することが困難であったが、動力源により改良土を採取する供試体作製装置１、５によれば、所定の深さ位置にある改良土を機械的に採取することもできる。
【００１９】
次に、供試体作製装置１、５の２つの形態を具体的に説明する。なお、図１に示す場合には、アタッチメントＡには、一実施の形態（第１形態）の供試体作製装置１と、他の実施の形態（第２形態）の供試体作製装置５とが装着されているが、強度試験上、供試体の作製条件を一致させるべく、同一形態の供試体作製装置を装着して使用することが望ましい。
【００２０】
＜第１形態＞
図２は、第１形態である供試体作製装置１を示す図であり、特に（Ａ）は上面方向から、（Ｂ）は左側面方向から、（Ｃ）は正面方向から、（Ｄ）は右側面方向から、（Ｅ）は底面方向から、（Ｆ）は背面方向から、それぞれ一部省略ないし簡略して示した図である。図３は、図２に示す保持体３に対して型枠Ｃを着脱する過程を示す断面図（内部構造説明図）であり、特に（Ａ）は型枠Ｃを取り付ける前の、又は、型枠を取り外した後の内部状態を示し、（Ｂ）は着脱途中の内部状態を示し、（Ｃ）は型枠Ｃを取り付けた後の内部状態を示す。図４は、図２に示す供試体作製装置１の一実施例である。供試体作製装置１は、保持体３が、回転方向に向けて両端が開口し、型枠Ｃを収容して保持する鋼製の筒体３１と、筒体３１の前端側開口部に取り付けられる型枠止め機構と、筒体３１の後端側開口部に取り付けられる型枠押出機構と、を有する。一方、締結体２は、筒体３１の外周面に突設される一対の鋼製プレート２１、２２と、当該鋼製プレート２１、２２のそれぞれに取り付けられるＣ型クランプ２３、２４と、を有する。なお、筒体の前端側とは、ドラムＤの回転方向側、別言すれば、改良土が流入する側である。
【００２１】
前述の型枠止め機構は、筒体３１にヒンジ結合された基端部を回転軸として、筒体３１の前端側開口部に架け渡される閉位置と前端側開口部を開口する開位置とに回動する開閉式レバー３２と、閉位置にある開閉式レバー３２先端側に係合して、開閉式レバー３２の回動を規制するフック３３と、を備える。レバー部３２１は筒体３１の軸心に沿って配置される略板状の鋼製部材であり、開閉式レバー３２が閉位置にあるとき、筒体３１に収容された型枠Ｃが前端側開口部から脱落しないように前記型枠Ｃを収容するとともに、レバー部３２１と前端側開口部との間を通って筒体３１の内部に改良土が流入できるようになっている。一方、開閉式レバー３２が開位置にあるとき、図３に示すように、筒体３１に収容された型枠Ｃを前端側開口部から取り外すことができる。フック３３はＵ字状の金属製部材であり、その基端部が筒体３１の外側面に揺動可能に取り付けられ、Ｕ字状の先端が前端側開口部から突出して配置されており、閉位置に移動させたとき弾性変形してレバー部３２１に掛け留められる。
【００２２】
筒体３１の前端側開口縁には、レバー部３２１が差し込まれる所定の深さの切欠き３１１、３１２が長手方向に沿って設けられており（図３参照）、図２（Ｅ）、図３（Ａ）に示すように、筒体３１の長手方向に対してレバー部３２１を直角に配置した状態（閉位置）で、フック３３に掛け留めて固定することができる。また、筒体３１は、後端側の内径が型枠Ｃの外径よりも小径に形成されており、図３（Ｃ）に示すように、前端側から挿入された型枠Ｃが、当該小径部と閉位置にある開閉式レバー３２とにより挟み込まれるようにして収容されるようになっている。
【００２３】
型枠押出機構は、先端が後端側開口部から筒体３１の内部に配置され、後端が筒体３１の外部に配置される押出用ロッド３４と、押出用ロッド３４が往復動自在に挿入される支持孔３５１が形成され、筒体３１の後端側開口部内の一部に設けられる突設部材３５と、を備える。図示する場合には、押出用ロッド３４は、全体として側面視Ｙ字状に形成され、支持孔３５１に挿入されるロッド部３４１と、ロッド部３４１の先端に一体として設けられるサスマタ状に分岐する押出し部３４２とにより構成される。突設部材３５は、筒体３１の長手方向からみて中心部に支持孔３５１が形成され、四方に放射状に延びて筒体３１の後端側開口部内に固定されている。型枠Ｃを筒体３１の内部に挿入したとき、押出用ロッド３４が後方に押し出され、開閉式レバー３２を開位置に移動させた状態において押出用ロッド３４を前方に向けて押し込むことにより、型枠Ｃを取り出すことができる。型枠Ｃ内に流入した改良土は、突設部材３５と後端側開口部との間を通って筒体３１の外部に改良土が流出できるようになっている。
【００２４】
保持体３は、保持体３の内部に取り付けられた型枠ＣがドラムＤの回転方向に向けて開口する角度で締結体２に対して連結される。すなわち、特許文献１に示される攪拌羽根のように、ドラムＤの回転方向に対し攪拌羽根Ｗが傾けて取り付けられている場合には、攪拌羽根ＷにＣ型クランプ２３、２４を挟み付けた状態において、攪拌羽根Ｗに対して筒体３１の長手方向がドラムＤの回転方向と平行になるように、それぞれのＣ型クランプ２３、２４がプレート２１、２２の所定の位置に取り付けられている。
【００２５】
次に、第１形態である供試体作製装置１の実施例を説明する。
【００２６】
先ず、開閉式レバー３２を開状態とし、両端が開口する筒状の型枠Ｃを筒体３１の内部に挿入する。次に、開閉式レバー３２を閉位置に移動させて、フック３３に掛け留める。その後、Ｃ型クランプ２３、２４を攪拌羽根Ｗのいずれかに挟み付けることにより、型枠Ｃが保持された状態の供試体作製装置１をアタッチメントＡに装着する。前述のとおり、３本一組の供試体を作製する場合には、３つの供試体作製装置１がアタッチメントＡに装着される。装着後、バックホウＳを操縦して、ドラムＤを回転させた状態で、アタッチメントＡを改良土中に所定の深さまで降下させることにより、筒体３１の前端側開口部側から改良土を流入させて、型枠Ｃの内部に改良土を充填させる。アタッチメントＡを改良土中から持ち上げ、開閉式レバー３２を開位置に移動させた状態において押出用ロッド３４を前方に向けて押し込むことにより、型枠Ｃを取り出す。
【００２７】
前述のとおり、強度試験上、上層、中層及び下層のそれぞれから改良土を採取する場合があるが、かかる場合には、攪拌羽根Ｗに装着済みの供試体作製装置１に対して、新たな型枠Ｃを挿入して保持させた後、バックホウＳを操縦して所定の深さの改良土を採取する。供試体作製装置１はアタッチメントＡに装着済みであり、型枠Ｃの交換作業を、開閉式レバー３２の操作により容易に行うことができる。
【００２８】
＜第２形態＞
図５は、第２形態である供試体作製装置５を示す図であり、特に（Ａ）は上面方向から、（Ｂ）は左側面方向から、（Ｃ）は正面方向から、（Ｄ）は右側面方向から、（Ｅ）は底面方向から、（Ｆ）は背面方向から、それぞれ一部省略ないし簡略して示した図である。図６は、図５に示す供試体作製装置５に対して型枠Ｃを着脱させた状態を示す図であり、特に（Ａ）は型枠を取り付けた状態を示し、（Ｂ）は型枠を取り付ける前の、又は、型枠を取り外した状態を示す。図７は、図５に示す供試体作製装置５の一実施例であり、図８は、図７に示す供試体作製装置５を他の方向から示したものである。
【００２９】
締結体６は、相互に対向して配置される一対のＣ型クランプ６１、６２と、一端にＣ型クランプ６１が溶接され他端にＣ型クランプ６２が溶接されることによりＣ型クランプ６１、６２のそれぞれを連結する鋼製の連結板６３と、一方のＣ型クランプ６１にボルト６４を介して回動可能に連結される鋼製の第１プレート６５と、他方のＣ型クランプ６２にボルト６６を介して回動可能に連結される鋼製の第２プレート６７と、を有する。なお、それぞれのボルト６４、６６は、攪拌羽根ＷにＣ型クランプ６１、６２を挟み付けた状態において、後述する保持体７により保持される型枠Ｃの長手方向がドラムＤの回転方向と平行になるように、第１及び第２プレート６５、６７の所定の位置に取り付けられている。
【００３０】
保持体７は、第１プレート６５に接合され、型枠Ｃに連通する状態で型枠Ｃの一端側開口縁に当接される筒状の第１継手７１と、第２プレート６７に接合され、型枠Ｃに連通する状態で型枠Ｃの他端側開口縁に当接される筒状の第２継手７２と、を有する。加えて、両端部にネジ部７３１、７３２が設けられ、第１継手７１と第２継手７２との間に型枠Ｃを配置した状態で第１継手７１が一方のネジ部７３１にネジ留めされ第２継手７２が他方のネジ部７３２にネジ留めされることにより、型枠Ｃを第１継手７１と第２継手７２との間に挟み込んで保持する連結ロッド７３と、を有する。連結ロッド７３へのネジ留めを可能とすべく、第１継手７１にはネジ部挿入孔が穿設された平板７４が突設され、第２継手７２にはネジ部挿入孔が穿設された平板７５が突設されている。
【００３１】
第１継手７１及び第２継手７２は、いずれも、型枠Ｃと同径のＳＧＰ鋼管（配管用炭素鋼鋼管）により形成される円筒状部材であり、本実施例においては、第１継手７１の内部には長手方向からみて一文字状に補助板が設けられ、第２継手７２の内部には長手方向からみて十文字状に補助板が設けられることにより、強度の向上および異物の進入防止が図られている。上記構成を有する供試体作製装置５によれば、Ｃ型クランプ６１、６２を攪拌羽根Ｗに挟み付けた状態において、第１及び第２継手７１、７２のそれぞれを、それぞれのボルト６４、６６を回転中心として、相互に接近ないし離隔する方向に揺動させることができる。
【００３２】
次に、第２形態である供試体作製装置５の実施例を説明する。
【００３３】
先ず、第１及び第２継手７１、７２が相互に離隔する方向に移動させた後、第１及び第２継手７１、７２の間に型枠Ｃを配置する。次いで、連結ロッド７３が平板７４、７５のそれぞれに挿入されるようにして、第１及び第２継手７１、７２を型枠Ｃに当接する位置まで戻した後、平板７４、７５から突出するネジ部７３１、７３２にボルトを装着することにより、型枠Ｃを第１継手７１と第２継手７２との間に挟み込んで保持する。その後、Ｃ型クランプ６１、６２を攪拌羽根Ｗのいずれかに挟み付けることにより、型枠Ｃが保持された状態の供試体作製装置５をアタッチメントＡに装着する。前述のとおり、３本一組の供試体を作製する場合には、３つの供試体作製装置５がアタッチメントＡに装着される。装着後、バックホウＳを操縦して、ドラムＤを回転させた状態で、アタッチメントＡを改良土中に所定の深さまで降下させることにより、第１継手７１の前端側開口部側から改良土を流入させて、型枠Ｃの内部に改良土を充填させる。アタッチメントＡを改良土中から持ち上げ、ネジ部７３１、７３２からボルトを取り外して、第１及び第２継手７１、７２を相互に離隔させることにより、型枠Ｃを取り外す。
【００３４】
前述のとおり、強度試験上、上層、中層及び下層のそれぞれから改良土を採取する場合があるが、かかる場合には、攪拌羽根Ｗに装着済みの供試体作製装置５に対して、新たな型枠Ｃを第１及び第２継手７１、７２の間に配置して保持させた後、バックホウＳを操縦して所定の深さの改良土を採取する。供試体作製装置５はアタッチメントＡに装着済みであり、型枠Ｃの交換作業を、ナットや連結ロッド７３の脱着、第１及び第２継手７１、７２の操作に揺動より容易に行うことができる。なお、第２形態の供試体作製装置５は、第１形態の供試体作製装置１に比して、軽量に作製することができる。
【００３５】
本考案は、上記実施の形態又は実施例に限定されず、その考案の趣旨を逸脱しない範囲で種々変形実施が可能である。たとえば、本考案に係る供試体作製装置は、特許文献１に開示されるような攪拌羽根に限らず、水平軸回りに回転するドラムの周面に突設される攪拌羽根であって、Ｃ型クランプにより挟み付けることが可能な形状のもの（例えばスクリュー状）であれば、広く適用することができる。
【産業上の利用可能性】
【００３６】
本考案は、バックホウによりセメント系固化材を混合攪拌することにより行われる地盤改良における、いわゆる軽量型枠を用いた一軸圧縮試験用供試体の作製に適用して好適な供試体の作製装置として利用することが可能である。
【符号の説明】
【００３７】
１            供試体作製装置
２            締結体
２３、２４    Ｃ型クランプ
３            保持体
３１          筒体
３２          開閉式レバー
３３          フック
３４          押出用ロッド
３５          突設部材
３５１        支持孔
５            供試体作製装置
６            締結体
６１、６２    Ｃ型クランプ
６４          ボルト
６５          第１プレート
６６          ボルト
６７          第２プレート
７            保持体
７１          第１継手
７２          第２継手
７３          連結ロッド
７３１、７３２  ネジ部
Ｓ            バックホウ
Ａ            アタッチメント
Ｄ            ドラム
Ｗ            攪拌羽根
Ｃ            型枠
【図１】
0003230962.tif 000003
【図２】
0003230962.tif 000004
【図３】
0003230962.tif 000005
【図４】
0003230962.tif 000006
【図５】
0003230962.tif 000007
【図６】
0003230962.tif 000008
【図７】
0003230962.tif 000009
【図８】
0003230962.tif 000010